(57)【要約】  電子システムが充電デバイス及び電子デバイスを含んでよい。充電デバイスが、入力ポート、充電回路、格納装置及び接続デバイスを含む。充電デバイスは、入力ポートで直流（ＤＣ）電圧を受ける。充電回路がＤＣ電圧を受けて、充電された電圧を格納装置へと提供する。電子デバイスが、本体、バッテリー、バッテリーの直接上にある第１パッド及びバッテリーの直接上にある第２パッドを含む。電子デバイスが充電デバイスに結合されるときに、バッテリーが、充電されたＤＣ電圧を受ける。
2018520621.tif 000002
【特許請求の範囲】
【請求項１】
装置であって、
ドッキングステーションの第１供給端子及び第２供給端子に直接接触すべき第１バッテリーパッド及び第２バッテリーパッドと、
第１バッテリーパッド及び第２バッテリーパッドを少なくとも部分的に覆う保護カバーと、
を含み、
前記第１バッテリーパッドと前記第１供給端子との間の接触及び前記第２バッテリーパッドと前記第２供給端子との間の接触が前記保護カバーに隠れて形成される、
装置。
【請求項２】
当該装置を前記ドッキングステーションにドッキングする構成体を含み、
前記ドッキングステーションからの直流（ＤＣ）電力を受ける、
請求項１に記載の装置。
【請求項３】
前記第１バッテリーパッド及び前記第２バッテリーパッドがユーザに露出することを、前記保護カバーが少なくとも部分的に防止する、
請求項１に記載の装置。
【請求項４】
前記第１バッテリーパッド及び前記第２バッテリーパッドがユーザに見えることを、前記保護カバーが少なくとも部分的に防止する、
請求項１に記載の装置。
【請求項５】
前記保護カバーが、前記ドッキングステーションとの接触に基づいて開かれるラッチを含み、
該ラッチが開かれているときに前記第１バッテリーパッド及び前記第２バッテリーパッドが露出される、
請求項１乃至４のうち何れか１項に記載の装置。
【請求項６】
前記保護カバーが、前記第１バッテリーパッド及び前記第２バッテリーパッドを少なくとも部分的に覆う摺動表面を有する、
請求項１乃至４の何れか１項に記載の装置。
【請求項７】
前記ドッキングステーションが入力ＤＣ電力を受けて該入力ＤＣ電力を用いてバッテリーを充電する、
請求項１乃至４の何れか１項に記載の装置。
【請求項８】
内部バッテリーチャージャーを有しない、
請求項１乃至４の何れか１項に記載の装置。
【請求項９】
前記第１バッテリーパッドがバッテリーのアノードに接触し、前記第２バッテリーパッドが前記バッテリーのカソードに接触する、
請求項１乃至４の何れか１項に記載の装置。
【請求項１０】
システムであって、
命令を記憶するメモリと、
該メモリに結合されるプロセッサと、
該プロセッサを動作させる電力を供給するバッテリーと、
該バッテリーの第１パッド及び第２パッドと、
該第１パッド及び該第２パッドの露出を少なくとも部分的に防ぐガード構造体と、
当該システムを充電ステーション上にドッキングする構成体と、
を含み、
前記構成体が当該システムを充電ステーション上にドッキングするときに、当該システムの前記第１パッド及び前記第２パッドが、前記充電ステーションの第１端子及び第２端子にそれぞれ物理的に接触し、
前記第１パッドと前記第１端子との間の接触及び前記第２パッドと前記第２端子との間の接触が前記ガード構造体の下方に形成される、
システム。
【請求項１１】
前記ガード構造体が、前記第１パッド及び前記第２パッドを少なくとも部分的に覆い、
前記第１パッド及び前記第２パッドがユーザに見えることを、前記ガード構造体が少なくとも部分的に防止する、
請求項１０に記載のシステム。
【請求項１２】
前記ガード構造体が、前記充電ステーションとの接触に基づいて開かれるラッチを含み、
該ラッチが開かれているときに前記第１パッド及び前記第２パッドが露出される、
請求項１０又は１１に記載のシステム。
【請求項１３】
前記ガード構造体が、前記第１パッド及び前記第２パッドを少なくとも部分的に覆う摺動表面を有する、
請求項１０又は１１に記載のシステム。
【請求項１４】
装置であって、
当該装置内部のバッテリーに結合される第１端子と、
前記バッテリーに結合される第２端子と、
前記第１端子及び前記第２端子の露出を少なくとも部分的に防ぎ、前記第１端子及び前記第２端子を少なくとも部分的に覆うガード構造体と、
を含み、
前記バッテリーが、第３端子及び第４端子を含むデバイスにより充電され、
前記バッテリーが前記デバイスにより充電される際に、前記第３端子が前記ガード構造体の下方で摺動して前記第１端子に直接的物理的に接触し、前記第４端子が前記ガード構造体の下方で摺動して前記第２端子に直接的物理的に接触する、
装置。
【請求項１５】
前記第１端子及び前記第２端子がユーザに見えることを、前記ガード構造体が少なくとも部分的に防止する、
請求項１４に記載の装置。
【請求項１６】
前記ガード構造体が、前記デバイスとの接触に基づいて開かれるラッチを含み、
該ラッチが開かれているときに前記第１端子及び前記第２端子が露出される、
請求項１４又は１５に記載の装置。
【請求項１７】
前記第１端子及び前記第２端子を介して前記デバイスから直流（ＤＣ）電力を受ける、
請求項１４又は１５に記載の装置。
【請求項１８】
ドッキングステーションであって、
デバイスの第１バッテリーパッド及び第２バッテリーパッドに直接接触すべき第１端子及び第２端子であって、前記デバイスの前記第１バッテリーパッド及び前記第２バッテリーパッドが保護機構により覆われる、第１端子及び第２端子と、
前記第１端子及び前記第２端子が、前記デバイスの前記保護機構の下方で摺動し、前記デバイスの前記第１バッテリーパッド及び前記第２バッテリーパッドにそれぞれ直接物理的に接触することを可能にするインターフェイスと、
を含むドッキングステーション。
【請求項１９】
前記保護機構が、前記第１バッテリーパッド及び前記第２バッテリーパッドを少なくとも部分的に覆う摺動表面を有し、
前記デバイスが前記ドッキングステーションにドッキングされるときに、前記摺動表面が前記インターフェイス内で摺動することを前記インターフェイスが可能にする、
請求項１８に記載のドッキングステーション。
【請求項２０】
前記保護機構が、前記第１バッテリーパッド及び前記第２バッテリーパッドを少なくとも部分的に覆うラッチを含み、
前記デバイスが前記ドッキングステーションにドッキングされるときに、前記ラッチが開くことを前記インターフェイスが可能にする、
請求項１８に記載のドッキングステーション。
【請求項２１】
前記第１バッテリーパッド及び前記第２バッテリーパッドを介して前記デバイスへ直流（ＤＣ）電力を供給する、
請求項１８に記載のドッキングステーション。
【請求項２２】
電力を格納し、格納した電力を前記デバイスの第２バッテリーへ供給する第１バッテリーを含む、
請求項１８乃至２１の何れか１項に記載のドッキングステーション。
【請求項２３】
当該ドッキングステーションが入力インターフェイスを介して外部電力を受けるとき、及び当該ドッキングステーションが前記入力インターフェイスを介して如何なる外部電力をも受けないとき、前記デバイスへ直流（ＤＣ）電力を供給する、
請求項２２に記載のドッキングステーション。
【発明の詳細な説明】
【技術分野】
【０００１】
本開示は、直接充電によって電力供給されあるいは充電される電子デバイスに関する。
【発明の概要】
【０００２】
本構成及び実施形態を、添付図面を参照して詳細に説明する。図面中、同様な参照符号は同様な素子を示す。
【図面の簡単な説明】
【０００３】
【図１】例示的な構成に従って交流（ＡＣ）アダプタにより充電される電子装置を示す。
【図２】例示的な実施形態に従って直接充電される電子装置を示す。
【図３】例示的な実施形態に従った電子充電システムを示す。
【図４】例示的な実施形態に従ったバッテリー及び２個の充電パッドを示す。
【図５Ａ】例示的な実施形態に従った電子装置を示す。
【図５Ｂ】例示的な実施形態に従った電子装置を示す。
【図６】例示的な実施形態に従って充電ステーション（又は充電装置）に結合された電子装置を示す。
【発明を実施するための形態】
【０００４】
電子デバイスは、モバイル端末、モバイルデバイス、モバイルコンピューティングプラットフォーム、モバイルプラットフォーム、ラップトップコンピュータ、タブレット、ウルトラモバイルパーソナルコンピュータ、モバイルインターネットデバイス、スマートフォン、パーソナルデジタルアシスタント、ディスプレイデバイス、テレビジョン（TV）などの何れかであって良い。電子デバイスは、端末とも呼ばれることがある。
【０００５】
以下の詳細な説明において、同様な参照符号及び文字は、異なる図面において、同一の、対応する及び／又は類似の構成要素を示すために使用することができる。さらに、以下の詳細な説明において、例示的なサイズ／モデル／値／範囲が与えられるかも知れないが、実施形態はそれらに限定されない。特定な詳細が例示的な実施形態を説明するために記載されていても、実施形態がそれらの特定な詳細なしに実施され得ることは、当業者には明らかである。
【０００６】
図1は、例示的な構成に従って交流（AC）により充電（又は電力供給）される電子装置100を示す。他の配列及び構成も提供され得る。
【０００７】
図1は、ACアダプタ40に電力を供給する交流（AC）電源10を示す。ACアダプタ40は、電子デバイス100（又は電子装置）に電力を供給するためのものである。図1は、ACアダプタ40に直接結合されたAC電源10を示す。ACアダプタ40は、電子デバイス100に直接結合することができる。
【０００８】
AC電源10はACアダプタ40にAC電力を供給し、ACアダプタ40は、電子デバイス100に対して直流（DC）電力を供給することができる。受信したDC電力は、電子デバイス100の構成要素に電力を供給するために使用することができる。受信した電力は、電子デバイス100のバッテリーポート内（又はバッテリーポートのところ）に設けられたバッテリー120に格納することができる。バッテリー120は、本体又はハウジング内に設けられてもよい。
【０００９】
電子デバイス100は、入力ポート102と、入力ポート112、バッテリーチャージャー114及びバッテリー120（又はその他のチャージ格納装置）を受けるバッテリーポート並びに負荷118を含むプラットフォーム110とを含むことができる。
【００１０】
負荷118は、受信電圧に基づいて動作する電子デバイス100上の（又は電子デバイス100に結合された）任意のデバイス又はコンポーネントであってよい。例えば、負荷118は、表示デバイス、メモリ、プロセッサ、コントローラ、入出力デバイスなどであってよい。負荷118は、バッテリー120に結合されてもよい。負荷118は、バッテリー充電器114に結合されてもよい。
【００１１】
図1は、ACアダプタ40を電子デバイス100の外部（および別個）のものとして示す。しかしながら、ACアダプタ40は、電子デバイス100の内部にあってもよい。
【００１２】
AC電源10は、ACアダプタ40にAC電圧（又はAC電力）を供給することができる。ACアダプタ40は、受信したAC電圧を直流（DC）電圧に変換することができる。ACアダプタ40は、AC／DCアダプタ又はAC／DCコンバータとして考えることもできる。
【００１３】
ACアダプタ40が電子デバイス100の外部にあるならば、ACアダプタ40は、AC電源10からAC電圧を受け取り、入力ポート102（及びバッテリーチャージャー114）にDC電圧を供給する。
【００１４】
DC電圧は、バッテリーチャージャー114に供給されてもよい。バッテリーチャージャー114は、（バッテリーポートに設けられた）バッテリー120にDC電圧を供給することができる。DC電圧は、電子デバイス100を動作させるために、（直接又は間接的にバッテリーチャージャー114を介して）負荷118にも供給してよく、あるいは変形例として負荷118に供給してもよい。例えば、DC電圧は、電子デバイス100上の表示デバイス（又は他の構成要素）に電力を供給するのに用いてもよい。（電子デバイス100の）プラットフォーム110上に電圧レギュレータを設けて、負荷への供給に先立ち電圧を安定させることもできる。
【００１５】
ACアダプタ40は、（50ヘルツ（Hz）の低周波数のような）特定の周波数で、かつ、例えばACアダプタ40が使用されている国により変化する電圧を有するAC電源10（すなわちACコンセント）からAC電力を受け取るように設計することができる。
【００１６】
ACアダプタ40は、AC電源10から入力されるAC電圧（又は電力）の正弦波特性をフィルタリングするために、かなりの量のエネルギー（又は電力）を蓄積することができる。少なくとも1つの不都合な構成では、ACアダプタ40はバルクキャパシターを含むことがあり、バルクキャパシターはACアダプタ40の大きな部品になってしまう。バルクキャパシターは、ACライン周波数（50Hz又は60Hzなど）に起因する低周波発振を平滑化するように特別に設計してもよい。
【００１７】
バッテリーチャージャー114は充電回路（又はチャージ回路）と考えることができる。バッテリーチャージャー114は、バッテリー120に出力電圧を供給することができる。バッテリー120は、バッテリーチャージャー114から受け取った電圧によって充電されることができる。バッテリーチャージャー114は、マザーボード上の集積回路であってよい。バッテリーチャージャーは、入力ポートに供給される電圧を変換する降圧コンバータであってもよく、バッテリー120を充電するのに必要な電圧及び電流を供給するように設計することができる。
【００１８】
電子デバイス100は、適切に動作するために充電される必要があり得る。ユーザは、電子デバイス100を急速に充電することを望む場合がある。しかし、これには多量の電流を供給する必要がある。例えば、ユーザは、ACアダプタ40を使用することによって、5分間の時間枠内で電子デバイス100を充電することを望むかも知れない。バッテリーのそのような高速充電を提供するために、電子デバイス100上の充電回路は、短時間でバッテリーを完全に充電するのに必要な電力（及び電流）を処理しなければならないかも知れない。
【００１９】
一例として、バッテリー120が急速に充電される（すなわち、高電流を使用する）場合、バッテリーチャージャー114（又は充電回路）は、大電力電界効果トランジスタ（FETs）と、大回路基板トラックと、急速充電に伴う大電力および大電流に対処できる熱的解決策とが含まれる。例えば、1アンペア／時（Ah）のバッテリーを1分間で充電するには、60アンペアを超える電流が必要となることがある。別の例として、1分間の時間枠内でバッテリーを充電するために、モバイル端末（すなわち、電子デバイスの一例）は、バッテリー112に120アンペアを超える電流を供給する必要があることがある。
【００２０】
図2は、一実施形態に従って直接充電される電子デバイスを示す。他の実施形態及び構成もまた提供され得る。
【００２１】
図2に示す電子デバイス100は、内部に構成要素を有する本体101を含む。本体101は、バッテリーチャージャー114（又は充電回路）及びバッテリー120を含んでよい。電子デバイス100は、保護カバー又はガード構造体としての保護機構（又は保護デバイス）を含んでよい。保護機構は、ユーザがデバイス100内のバッテリーの端子又はパッド（バッテリーパッド）にアクセスすることを防止することができる。保護機構は、バッテリー120上の表面124に対して移動する表面122（又はカバー）を含んでよい。
【００２２】
図2に示す例示的実施形態においては、充電パッドがバッテリーの平坦表面124上にあり、摺動表面122が、電子デバイス100の使用中に充電パッドを覆い、バッテリー充電のために充電パッドを露出させるように上方に摺動する。図2は、表面124上のパッドを露出させるために上方に移動された表面122を示す。表面122は、外部物体との接触に基づいて移動することができる。
【００２３】
図2はまた、バッテリー120、第1パッド130（又は第1充電パッド、第1バッテリーパッド）及び第2パッド140（又は第2充電パッド、第2バッテリーパッド）を示す。第1パッド130は、バッテリー120上に直接的に（例えば、表面124において）設けられている直接充電パッドであってよい。第2のパッド140は、バッテリー120に直接的に（例えば、表面124において）設けられている直接充電パッドであってよい。あるいは、複数の接続ポイント、タブその他の手段を、金属ストリップなどの高電流導体を有するバッテリー端子に接続することができる。
【００２４】
第1パッド及び第2パッド130，140は、バッテリー120と直接接触する金属パッド（又は金属表面）であってもよい。このように、パッド130，140とバッテリー120との間にワイヤ（又は他の接続デバイス）は存在しない。第1パッド130はバッテリー上の金属表面であり、第2パッド140はバッテリー上の金属表面である。
【００２５】
第1パッド及び第2パッド130，140は、バッテリー120の未加工端子を露出させる直接充電パッドである。一例において、第1パッド130はバッテリー120のアノードに直接接触し、第2パッド140はバッテリー120のカソードに直接接触してもよい。別の例では、第1パッド130はバッテリー120のカソードに直接接触し、第2パッド140はバッテリー120のアノードに直接接触してもよい。
【００２６】
第1パッド及び第2パッド130，140は、充電デバイスの（供給端子としての）出力接続端子（又は接続デバイス）に直接接触し、充電デバイスから電力（又は電圧）を受け取る。バッテリー120は、電子デバイス100内のバッテリーチャージャー114を使用することなく、ＤＣ電圧（又は電力）を直接に受け取ることができる。言い換えれば、バッテリー120は、バッテリーチャージャー114を使用することなく、外部電源からの（パッド130，140を介した）直流電圧を直接的に受け取ることができる。したがって、電子デバイスのバッテリーは、第1パッド及び第2パッド130，140を使用して直接に充電するべきである。
【００２７】
保護機構又は保護デバイスは、第1パッド130及び第2パッド140を覆う摺動表面122を含んでもよい。摺動表面122は、コネクタデバイスなどのような外部物体との接触に基づいて移動することができる。
【００２８】
図3は、例示的な実施形態に従った電子充電システム（又は電子システム）を示す。他の実施形態及び構成もまた提供され得る。
【００２９】
図3は、AC電源10、ACアダプタ40、ドッキングステーションとしての充電ステーション200（又は充電デバイス）及び電子デバイス100を示す。AC電源10は、ACアダプタ40にAC電力（すなわち、AC電圧）を供給することができる。ACアダプタ40は、例えば、ワイヤ接続によって充電ステーション200に結合することができる。ACアダプタ40は、充電ステーション200の入力ポート202に結合することができる。
【００３０】
図3に示す電子デバイス100は、充電ステーション200から物理的に離れている。バッテリー120の充電を行うために、電子デバイス100を充電ステーション200に物理的に結合（又はドッキング）する必要があるかも知れない。電子デバイス100が充電ステーション（又は充電デバイス）に結合（又はドッキング）されたときに、電子デバイス100はDC電圧（又はDC充電電圧）を受信する。
【００３１】
充電ステーション200は、入力ポート202、大電力充電回路210、大電力格納装置220及びインターフェイスとしての出力コネクタデバイス230（又はコネクタデバイス）を含んでよい。
【００３２】
ACアダプタ40は、充電ステーション200の入力ポート202にＤＣ電圧を供給することができる。
【００３３】
DC電圧は、大電力充電回路210に供給されてもよい。充電回路210は、大電力充電回路と考えることができる。充電回路210は、バッテリーチャージャーと見なすことができる。充電回路210は、大電力格納装置220にエネルギーを蓄積するように機能することができる。これは、充電されると、短期間に大きなエネルギーのパケットを送達することができる自動除細動器の充電に類似するかも知れない。
【００３４】
充電回路210は、受信したDC電圧に基づいて、（充電ステーション200内の）格納装置220に充電されたDC電圧を提供することができる。格納装置220は、大電力格納装置であるとみなすことができる。格納装置220は、（数分又は数秒で測定される）短時間内に、蓄積されたチャージ（電荷）を分配することができる。
【００３５】
充電ステーション200は、時間に亘ってエネルギーを蓄積していくことによって、大量の電力の必要性を回避することができる。蓄積されたエネルギーは（充電ステーション200の）格納装置220内に一時的に格納されてもよい。蓄積されたエネルギー（又は蓄積されたDC電圧）は、電子デバイス100が充電ステーション200に結合されたときに、電子デバイス100に急速に供給される準備ができている。
【００３６】
格納装置220からバッテリー120へとより多くの電圧を供給するために、大電力格納装置220とコネクタデバイス230との間に非常に大きな電力充電回路を設けることができる。
【００３７】
格納装置220は、大量のエネルギーを格納し、それを高出力で分配することができる。したがって、格納装置220は、大きなキャパシター、チタン酸リチウム電池などであってよい。格納装置220は、時間に亘って大量のエネルギーを格納することができる。そのような電力量は、非常に短い時間内に1つ以上の電子デバイスを充電するのに十分であり得る。格納装置220内の蓄積されたエネルギーの量は、1つ以上の複数のデバイスを充電するのに十分であり得る。
【００３８】
電子デバイス100が（インターフェイスとしてのコネクタデバイス230を介して）充電ステーション200に物理的に接続（ドッキング）されているとき、（電子デバイス100の）バッテリー120に電力（すなわち電流）を直接供給することができる。電力は、パッド130，140（又は直接充電パッド）の使用によってバッテリー120に直接供給されてもよい。このことによって、電子デバイス100上の（バッテリーチャージャー114などの）充電回路の使用を回避することができる。こうして、より大きな量の電力をより速い方法でバッテリー120に供給することができ、電子デバイス100内の大電力充電回路並びに高電力充電ワイヤ及びポートの必要性を除去する。
【００３９】
バッテリー120は、電子デバイス100がコネクタデバイス230に結合されたときに、格納装置220からDC電圧を受け取ることができる。
【００４０】
一例として、格納装置220は、約5分間で完全に充電され得るチタン酸リチウム電池であってよい。格納されたエネルギー（又は電圧）は、同様の時間内に（電子デバイス100の）バッテリー120に分配されることができる。あるいは、控えめな電源ACアダプタは、はるかに長い時間（例えば1時間）をかけて格納装置220を充電することができ、デバイスを充電するのに必要なエネルギーを放電する。
【００４１】
一例として、（携帯端末などの）電子デバイス100は、5.5mm×42mm×60mmの寸法で、2Ah（アンペア時間）の格納容量を有するチタン酸リチウム電池セルを有することができる。対照的に、（充電ステーション200の）格納装置220は、各々が15mm×42mm×60mmの寸法で、4Ah（アンペア時間）の合計格納容量を有する2個のチタン酸リチウム電池セルを有することができる。
【００４２】
ACアダプタ40は、90ワット（W）を供給することができる。ACアダプタ40は、例えば、約20分間で充電ステーション200を充電することができる。（電子デバイス100と比較して）充電ステーションの格納装置220のために、充電ステーション200は、電子デバイス100のエネルギー容量の2倍の容量を有することができる。したがって、電子デバイス100がコネクタデバイス230を介して充電ステーション200に物理的に接続されているときに、充電ステーション200は、電子デバイス100を完全に充電するために常に完全に充電される必要があるわけではないかも知れない。
【００４３】
電子デバイス100は、充電ステーション200（又は充電デバイス）に物理的に接続することができる。電子デバイス100は、充電ステーション200の格納装置220から電力を受け取るために、ドッキングステーションとしての充電ステーション200にドッキングされてもよい。ドッキングされると、保護カバー又はガード構造体としての保護メカニズムは、第1及び第2のパッド130，140を、充電ステーション200の対応する第１供給端子及び第２供給端子としての整合パッドに対して露出することができる。
【００４４】
電子デバイス100は、（バッテリー120の）パッド130，140が充電ステーション200のコネクタデバイス230に物理的に接触しているとき、充電ステーション200に物理的に接続されていると考えることができる。少なくとも1つの実施形態では、インターフェイスとしてのコネクタデバイス230は、第1パッド130に物理的に接触する第１供給端子としての第1コネクタと、第2パッド140に物理的に接触する第２供給端子としての第2コネクタとを含むことができる。
【００４５】
電子デバイス100が充電ステーション200（又は充電デバイス）にドッキング（又は接続）されると、（電子デバイス100の）バッテリー120は、電子デバイス100が必要な電流を処理することができる場合には例えば2分間未満で、（充電ステーションの）記憶装置220によって充電されることができる。大電力格納回路と出力コネクタデバイス230との間に非常に大きな電力充電回路を設けることができる。
【００４６】
図4は、例示的な実施形態に従ったバッテリー及び2つの充電パッドを示す。他の実施形態及び構成もまた提供され得る。
【００４７】
バッテリー120は、電子デバイス100の本体101（又はハウジング）内のバッテリーポートに設けることができる。バッテリー120は、アノード及びカソードを含んでもよい。図4は、バッテリー120の直接に上の第1パッド130及び第2パッド140を示している。第1パッド及び第2パッド130，140はバッテリー120の一表面上に設けられてもよい。パッド130，140は、表面122の移動に基づいて露出されることができる。第1パッド130は、アノードに直接接触することによってバッテリー120のアノードに対応することができ、第2パッド140は、カソードに直接接触してバッテリーのカソードに対応することができる。あるいは、第1パッド130が、カソードに直接接触してバッテリー120のカソードに対応し、第2パッド140が、アノードに直接接触してバッテリー120のアノードに対応することができる。
【００４８】
第1パッド130はバッテリー120上の金属表面であってよく、第2パッド140はバッテリー120上の金属表面であってよい。パッド130，140は、良好な導電性を達成するために、ニッケルメッキスティール、銅及び金被覆の何れかで作ることができる。
【００４９】
パッド130，140は、バッテリー120の一端に設けられてもよく、それによりパッド130，140が充電ステーション200（又は充電デバイス）のコネクタデバイス230に物理的に接触することができる。
【００５０】
パッド130，140又は他の形態の大流コネクタは、如何なる配線及び／又は回路をも回避するために、バッテリー120上に直接設けられてもよい。このことは、充電回路114の使用を回避するのに役立つかもしれない。あるいは、パッド130，140は、金属ストリップなどの大電流導体を有するバッテリー端子に接続されてもよい。
【００５１】
図5A乃至図5Bは、例示的な実施形態に従った電子デバイスを示す。他の実施形態及び構成もまた提供され得る。
【００５２】
図5Aは、電子デバイス100の側面図であり、本体（又は筐体）内に設けられたバッテリー120を示す。図5Aは、バッテリー120の端部にある第1パッド130及び第2パッド140を示す。
【００５３】
電子デバイス100は、第1パッド及び第2パッド130，140へのアクセスを提供するために、開閉するラッチ（又はバッテリーラッチ）を含むことができる。図5Aは、閉じた位置にある電子デバイスのラッチ160を示し、図5Bは、開いた位置にあるラッチ160を示す。ラッチ160は、（充電ステーションの）コネクタデバイス230などの外部装置又は外部デバイスとの接触に基づいて開かれることができる。ラッチ160は、バッテリー120にアクセスするために、及び／又は（バッテリー120の）パッド130／140にアクセスするために、開閉する。第1パッド及び第2パッド130，140は、ラッチ160が開いているときに露出されることができる。
【００５４】
ラッチ160は、破片又は水分が電子デバイス100の本体110に入るのを防ぐために、通常、閉位置にあり得る。ラッチ160がインターフェイスとしてのコネクタデバイス230などの外部物体により押され（又は接触され）たときに、ラッチ160は開位置になり得る。例えば、ラッチ160は、電子デバイス100が充電ステーション200に結合された状態になるときに、（図5Bに示すように）開かれ得る。ラッチ160が開かれると、外部物体はバッテリー120のパッド130，140に物理的に接触することができる。より詳細には、ラッチ160が開かれると、外部物体がバッテリー120の一端でパッド130，140に物理的に接触することができる。
【００５５】
図6は、例示的な実施形態に従ったドッキングステーションとしての充電ステーション（又は充電デバイス）に結合された電子デバイスを示す。他の実施形態及び構成も提供され得る。
【００５６】
図6は、第１供給端子としての第1端子250及び第２供給端子としての第2端子260を含むコネクタデバイス230を含む充電ステーション200を示す。第1端子250は、物理的に（又は直接的に）第1パッド130に接触してもよく、第2端子260は、物理的に（又は直接的に）第1パッド130に接触してもよい。電子デバイス100が充電ステーション200（又は充電デバイス）にドッキングされるにつれて、インターフェイスとしてのコネクタデバイス230は、（電子デバイス100の）ラッチ160を開位置へと物理的に押し込むことができる。
【００５７】
（コネクタデバイス230がバッテリー120のパッド130，140に物理的に接触することによって）電子デバイス100が充電ステーション200に物理的に接続されると、格納装置220に格納された電力をバッテリー120に直接供給することができる。例えば、第1端子250は第1パッド130と直接接触し、第2端子260は第2パッド140と直接接触する。電子デバイスが充電ステーションのコネクタデバイス230に結合されるとき、バッテリーは、充電デバイスの格納装置220からDC電圧を受ける。
【００５８】
以下の実例は、さらなる実施形態に関する。
【００５９】
実例１：  電子システムであって、
・入力ポート、充電回路、格納装置及び接続デバイスを含む充電デバイスであり、前記入力ポートが直流（ＤＣ）電圧を受け、前記充電回路が前記ＤＣ電圧を受けて該ＤＣ電圧を前記格納装置へと提供する、充電デバイスと、
・本体、バッテリー、該バッテリーの直接上にある第１パッド及び該バッテリーの直接上にある第２パッドを含む電子デバイスであり、当該電子デバイスが前記充電デバイスの前記接続デバイスに物理的に結合されるときに前記バッテリーが前記充電デバイスの前記格納装置から前記ＤＣ電圧を受ける、電子デバイスと、
・を有する電子システム。
実例２：  前記接続デバイスが第１端子及び第２端子を含むことを選択的に含む、実例１の主題。
実例３：  前記第１パッドが前記第１端子に物理的に接触し、前記第２パッドが前記第２端子に物理的に接触することを選択的に含む、実例１及び２の主題。
実例４：  前記第１パッドが前記バッテリーのアノードに直接接触し、前記第２パッドが前記バッテリーのカソードに直接接触することを選択的に含む、実例１及び３の主題。
実例５：  前記第１パッドが前記バッテリーのカソードに直接接触し、前記第２パッドが前記バッテリーのアノードに直接接触することを選択的に含む、実例１及び３の主題。
実例６：  前記第１パッドが前記バッテリー上の金属表面であり、前記第２パッドが前記バッテリー上の金属表面であることを選択的に含む、実例４及び５の主題。
実例７：  前記第１パッドがニッケルメッキスティール、銅及び金被覆のうちの１つであり、前記第２パッドがニッケルメッキスティール、銅及び金被覆のうちの１つであること実例８：  前記電子デバイスが前記本体にラッチを含むことを選択的に含む、実例１及び実例４，５の主題。
実例９：  前記ラッチが、前記充電デバイスの前記接続デバイスとの接触に基づいて開き、前記ラッチが開くと前記第１パッド及び前記第２パッドが露出されることを選択的に含む、実例１及び８の主題
実例１０：  前記電子デバイスが、前記第１パッド及び前記第２パッドを覆う摺動表面を有する保護デバイスを含むことを選択的に含む、実例１乃至５の主題。
実例１１：  前記充電デバイスの前記格納装置がバッテリーであることを選択的に含む、実例１乃至５の主題。
実例１２：  前記充電デバイスの前記格納装置がキャパシターであることを選択的に含む、実例１乃至５の主題。
実例１３：  第１電源からの交流（ＡＣ）電圧を受けて、前記充電デバイスへＤＣ電圧を供給する交流（ＡＣ）アダプタを有することを選択的に含む、実例１乃至５の主題。
実例１４：  前記電子デバイスがさらに、第２電源からの電力を受けて、前記バッテリーへ電力を提供するバッテリーチャージャーを含むことを選択的に含む、実例１及び実例１３の主題。
実例１５：  前記バッテリーが、前記電子デバイス内の前記バッテリーチャージャーを使用せずに、前記充電デバイスによって充電されることを選択的に含む、実例１及び実例１４の主題。
実例１６：  電子デバイスであって、
・本体；
・該本体内にもたらされるバッテリー；
・該バッテリーに直接接触する第１パッド；及び
・前記バッテリーに直接接触する第２パッド；
・を有し、
・当該電子デバイスが外部充電デバイスに物理的に結合されたときに、前記第１パッド及び前記第２パッドが、前記外部充電デバイスからの直流（ＤＣ）電圧を直接受ける、電子デバイス。
実例１７：  前記第１パッドが前記バッテリーのアノードに直接接触し、前記第２パッドが前記バッテリーのカソードに直接接触することを選択的に含む、実例１６の主題。
実例１８：  前記第１パッドが前記バッテリーのカソードに直接接触し、前記第２パッドが前記バッテリーのアノードに直接接触することを選択的に含む、実例１６の主題。
実例１９：  前記第１パッドが前記バッテリー上の金属表面であり、前記第２パッドが前記バッテリー上の金属表面であることを選択的に含む、実例１６乃至１８の主題。
実例２０：  前記第１パッドがニッケルメッキスティール、銅及び金被覆のうちの１つであり、前記第２パッドがニッケルメッキスティール、銅及び金被覆のうちの１つであることを選択的に含む、実例１６乃至１８の主題。
実例２１：  前記電子デバイスが前記本体にラッチを含むことを選択的に含む、実例１６の主題。
実例２２：  前記ラッチが、前記充電デバイスの接続デバイスとの接触に基づいて開き、前記ラッチが開くと前記第１パッド及び前記第２パッドが露出されることを選択的に含む、実例１６及び実例２１の主題。
実例２３：  前記電子デバイスが、前記第１パッド及び前記第２パッドを覆う摺動表面を有する保護デバイスを含むことを選択的に含む、実例１６の主題。
実例２４：  他の電源からの電力を受けて、前記他の電源から受けた電力に基づいて前記バッテリーへ電力を提供するバッテリーチャージャーを選択的に含む、実例１６の主題。
実例２５：  前記バッテリーが、前記電子デバイス内の前記バッテリーチャージャーを使用せずに、前記外部充電デバイスによって充電されることを選択的に含む、実例１６及び実例２４の主題。
実例２６：  電子デバイスを充電する方法であって、
・充電デバイスにおいて直流（ＤＣ）電圧を受ける段階；
・前記の受けたＤＣ電圧を充電する段階；
・前記の受けたＤＣ電圧に基づいて、前記充電デバイスの格納装置において、前記の充電されたＤＣ電圧を格納する段階；
・前記電子デバイスを前記充電デバイスに物理的に接続する段階；及び
・前記電子デバイスを前記充電デバイスに物理的に接続することに応じて、前記格納装置からのＤＣ電圧を電子デバイスの第１パッド及び第２パッドに供給する段階であり、前記第１パッドが前記電子デバイスのバッテリーに直接接触し、前記第２パッドが前記電子デバイスの前記バッテリーに直接接触する段階、
・を含む方法。
実例２７：  前記充電デバイスが第１端子及び第２端子を有する接続端子を含むことを選択的に含む、実例２６の主題。
実例２８：  前記電子デバイスを前記充電デバイスに物理的に接続することが、
・前記バッテリー上の前記第１パッドを前記充電デバイスの第１端子に直接接触する段階；及び
・前記バッテリー上の前記第２パッドを前記充電デバイスの第２端子に直接接触する段階；を選択的に含む、実例２６及び実例２７の主題。
実例２９：  前記第１パッドが前記バッテリーのアノードに直接接触し、前記第２パッドが前記バッテリーのカソードに直接接触することを選択的に含む、実例２６及び実例２７の主題。
実例３０：  前記第１パッドが前記バッテリーのカソードに直接接触し、前記第２パッドが前記バッテリーのアノードに直接接触することを選択的に含む、実例２６及び実例２７の主題。
実例３１：  前記第１パッドが前記バッテリー上の金属表面であり、前記第２パッドが前記バッテリー上の金属表面であることを選択的に含む、実例２６及び実例２９、３０の主題。
実例３２：  前記電子デバイスに物理的に接続する段階が、前記接続デバイスとの接触に基づいて前記電子デバイスのラッチを開くことを含むことを選択的に含む、実例２６の主題。
実例３３：  前記格納装置において前記の充電されたＤＣ電圧を格納する段階が前記充電されたＤＣ電圧をバッテリーにおいて格納する段階を含むことを選択的に含む、実例２６の主題。
実例３４：  前記格納装置において前記の充電されたＤＣ電圧を格納する段階が前記充電されたＤＣ電圧をキャパシターにおいて格納する段階を含むことを選択的に含む、実例２６の主題。
実例３５：  前記ＤＣ電圧を受ける段階が、第１電源からの交流（ＡＣ）電圧を受けて、前記充電デバイスへ前記ＤＣ電圧を供給することを選択的に含む、実例２６の主題。
実例３６：  第２電源を用いて前記電子デバイスの前記バッテリーを充電することを選択的に含む、実例２６及び実例３５の主題。
実例３７：  前記バッテリーが、前記電子デバイス内の前記バッテリーチャージャーを使用せずに、前記充電デバイスによって充電されることを選択的に含む、実例２６及び実例３６の主題。
実例３８：  充電システムであって、
・直流（ＤＣ）電圧を受けるための第１手段；
・前記の受けたＤＣ電圧に基づいて、前記ＤＣ電圧を格納装置内に格納するための第２手段；
・電子デバイスのバッテリーの直接上にある第１パッド及び第２パッドに、接続デバイスを物理的に接続するための第３手段；及び
・前記電子デバイスが前記充電デバイスに結合されるときに、前記の格納されたＤＣ電圧を前記バッテリー上の前記第１パッド及び前記第２パッドに供給するための第４手段；
・を含む充電システム。
実例３９：  前記第３手段が第１端子及び第２端子を含むことを選択的に含む、実例３８の主題。
実例４０：  前記バッテリー上の前記第１パッドが前記第１端子に物理的に接触し、前記バッテリー上の前記第２パッドが前記第２端子に物理的に接触することを選択的に含む、実例３８及び実例３９の主題。
実例４１：  前記第１パッドが前記バッテリーのアノードに直接接触し、前記第２パッドが前記バッテリーのカソードに直接接触することを選択的に含む、実例３８の主題。
実例４２：  前記第１パッドが前記バッテリーのカソードに直接接触し、前記第２パッドが前記バッテリーのアノードに直接接触することを選択的に含む、実例３８の主題。
実例４３：  前記第１パッドが前記バッテリー上の金属表面であり、前記第２パッドが前記バッテリー上の金属表面である、実例３８及び実例４１，４２の主題。
実例４４：  前記第１パッドがニッケルメッキスティール、銅及び金被覆のうちの１つであり、前記第２パッドがニッケルメッキスティール、銅及び金被覆のうちの１つである、実例３８及び実例４１，４２の主題。
実例４５：  前記電子デバイスがラッチを含むことを選択的に含む、実例３８の主題。
実例４６：  前記ラッチが、前記接続デバイスとの接触に基づいて開き、前記ラッチが開くと前記第１パッド及び前記第２パッドが露出されることを選択的に含む、実例３８及び実例４５の主題。
実例４７：  前記電子デバイスが、前記第１パッド及び前記第２パッドを覆う摺動表面を有する保護デバイスを含むことを選択的に含む、実例３８の主題。
実例４８：  前記第２手段がバッテリーであることを選択的に含む、実例３８の主題。
実例４９：  前記第２手段がキャパシターであることを選択的に含む、実例３８の主題。
実例５０：  前記第１手段が、第１電源からの交流（ＡＣ）電圧を受けて、前記ＤＣ電圧を供給する交流（ＡＣ）アダプタを含むことを選択的に含む、実例３６の主題。
実例５１：  前記電子デバイスが、第２電源からの電力を受けて、前記バッテリーへ電力を提供するバッテリーチャージャーを含むことを選択的に含む、実例３８及び実例５０の主題。
実例５２：  前記バッテリーが、前記電子デバイス内の前記バッテリーチャージャーを使用せずに充電されることを選択的に含む、実例３８及び実例５１の主題。
【００６０】
本明細書における「一実施形態」、「実施形態」、「実例実施形態」等の表現は、実施形態に関連して記述された特定の特徴、構造又は特性が少なくとも１つの実施形態に含まれることを意味する。本明細書中のいろいろな場所におけるそのようなフレーズの外形は、必ずしも同一実施形態を意味しない。さらに、特定の特徴、構造又は特性が何れかの実施形態に関連して記述されるとき、他の実施形態に関連するそのような特徴、構造又は特性に影響を与えることは当業者の認識範囲内であることを具申する。
【００６１】
多くの例示的実施形態に関連して実施形態を記述してきたけれども、多数の他の修正及び実施形態が当業者によって発案されることができ、それらは本開示の原理の真意及び範囲内にあることを理解すべきである。より特定的には、本開示、図面及び添付請求項の範囲内での主題の組合せ構成の成分部分及び／又は構成において、多種多様な変形及び修正が可能である。成分部分及び／又は構成における変形及び修正に加えて、代替的な使用が当業者に明らかとなろう。
【図１】
2018520621.tif 000003
【図２】
2018520621.tif 000004
【図３】
2018520621.tif 000005
【図４】
2018520621.tif 000006
【図５Ａ】
2018520621.tif 000007
【図５Ｂ】
2018520621.tif 000008
【図６】
2018520621.tif 000009
【国際調査報告】
2018520621.tif 000010
2018520621.tif 000011